(57)【特許請求の範囲】
【請求項１】
バッファ用ＲＡＭに一旦記憶された信号を読み出すとともに光学式ピックアップに組み込まれているレーザー素子より照射される光ビームによってディスクに該信号を記録するように構成された光ディスク記録再生装置において、信号記録動作時前記バッファ用ＲＡＭから読み出された信号をディスクに記録した後、新しい信号がディスクに記録された信号に代わって書き込まれるまで該バッファ用ＲＡＭに記憶保持し、ディスクへの信号の記録動作が中断したとき、正常に記録された信号の最終アドレスと前記バッファ用ＲＡＭに記憶保持されている信号に基づいて中断前にディスクに記録されている信号に連続して信号を記録するとともに記録再開時のレーザー素子の起動動作開始時期をディスクに設けられている試し書き領域へのテスト信号の記録特性によって設定するようにしたことを特徴とする光ディスク記録再生装置。
【請求項２】
試し書き領域に記録されたテスト信号に含まれる同期信号とディスクに記録されている同期信号との間の時間差を検出し、この検出された時間差に基づいて記録再開時のレーザー素子の起動動作開始時期を設定するようにしたことを特徴とする請求項１に記載の光ディスク記録再生装置。
【発明の詳細な説明】
【０００１】
【発明の属する技術分野】
本発明は、光学式ピックアップに組み込まれているレーザー素子より照射される光ビームによってディスクに信号を記録するとともに光ビームによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップに組み込まれているレーザー素子より照射される光ビームによってディスクに信号を記録することが出来るように構成された光ディスク記録再生装置が商品化されている。
【０００３】
また、最近では、規定の記録線速度に対して、２倍、４倍、６倍、８倍及び１２倍等の高速の線速度一定にてディスクを回転制御した状態で信号を記録することが出来るように構成された光ディスク記録再生装置が開発されている。
【０００４】
【発明が解決しようとする課題】
光ディスク記録再生装置では、ホストであるコンピューター装置側からの記録命令に従って信号の記録動作を行うように構成されているが、斯かる記録動作はディスクに記録する信号を一旦バッファ用ＲＡＭに記憶させ、該バッファ用ＲＡＭに記憶されている信号を読み出すことによってディスクへ信号の記録動作を行うように構成されている。
【０００５】
ディスクへの信号の記録動作が正常に行われている状態では、コンピューター装置より出力される記録信号のバッファ用ＲＡＭへの書き込み動作及び該バッファ用ＲＡＭからの信号の読み出し動作、そして読み出された信号のディスクへの記録動作が記録信号の量やディスクへの記録状況に対応して行われる。
【０００６】
信号の記録動作を行っている状態において、バッファ用ＲＡＭに記憶されている記録信号の量が不足するとディスクへの信号の記録動作が行えない状態、所謂バッファアンダーランと呼ばれる状況になる。斯かる問題を解決する方法として、バッフア用ＲＡＭに記憶されている記録信号の量が所定量以下になると、ディスクへの記録動作を一旦停止させ、バッフア用ＲＡＭに記憶されている記録信号の量が所定量より多くなったとき、ディスクへの記録動作を再開させるようにした技術が開発されている。
【０００７】
斯かる技術が組み込まれた光ディスク記録再生装置では、記録動作中断前にディスクに記録されている信号に続けて信号を記録する必要があるので、記録済みの信号に続けて新しい信号を記録する動作が行われるが、光学式ピックアップを構成するレーザー素子の立ち上がり特性の相違によってディスクに記録されるタイミングがずれ、信号間に隙間が生じるという問題が発生している。
【０００８】
本発明は、斯かる問題を解決することが出来る光ディスク記録再生装置を提供しようとするものである。
【０００９】
【課題を解決するための手段】
本発明は、バッファ用ＲＡＭに一旦記憶された信号を読み出すとともに光学式ピックアップに組み込まれているレーザー素子より照射される光ビームによってディスクに該信号を記録するように構成された光ディスク記録再生装置において、信号記録動作時前記バッファ用ＲＡＭから読み出された信号をディスクに記録した後、新しい信号がディスクに記録された信号に代わって書き込まれるまで該バッファ用ＲＡＭに記憶保持し、ディスクへの信号の記録動作が中断したとき、正常に記録された信号の最終アドレスと前記バッファ用ＲＡＭに記憶保持されている信号に基づいて中断前にディスクに記録されている信号に連続して信号を記録するとともに記録再開時のレーザー素子の起動動作開始時期をディスクに設けられている試し書き領域へのテスト信号の記録特性によって設定するように構成されている。
【００１０】
【実施例】
図１は本発明に係る光ディスク記録再生装置の一実施例を示すブロック回路図である。同図において、１はスピンドルモーター（図示せず）によって回転駆動されるターンテーブル（図示せず）に載置されるディスクであり、該ターンテーブルの回転により回転駆動されるように構成されている。また。前記ディスク１には、位置情報データがウォブルと呼ばれる溝によって記録されており、この溝より得られるウォブル信号に基づいて信号の記録再生動作が行われるように構成されている。２はディスク１に光ビームを照射させるレーザー素子（図示せず）及び該レーザー素子より照射される光ビームのレベルをモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１１】
３は前記光学式ピックアップ２に組み込まれている光検出器から得られるＲＦ信号を増幅するとともに波形成形するＲＦ信号増幅回路、４は前記ＲＦ信号増幅回路３を介して得られる信号に基づいて前記光学式ピックアップ２より出力される光ビームをディスク１の信号面に合焦させるフォーカシング制御及び該光ビームを前記信号面の信号トラックに追従させるトラッキング制御を行うピックアップ制御回路であり、フォーカスサーボ回路及びトラッキングサーボ回路が組み込まれている。
【００１２】
５は前記ＲＦ信号増幅回路３より出力される信号のデジタル信号処理を行うとともに各種信号の復調動作を行うデジタル信号処理回路、６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホストとして設けられているコンピューター装置７に出力する作用を成すものである。
【００１３】
８は前記デジタル信号処理回路５により復調された信号が入力されるとともに前記コンピューター装置７から出力される命令信号に応じて種々な制御動作を行うシステム制御回路である。９はテスト信号や情報信号等の記録信号が入力されるとともにその信号に対応させてレーザー駆動回路１０によるレーザーの照射動作を制御することによってデータ信号等を前記ディスク１に記録させる信号記録用回路である。
【００１４】
１１はディスク１に記録される信号が一旦記憶されるバッファ用ＲＡＭであり、前記コンピューター装置７より出力される信号が書き込まれるとともにシステム制御回路８の制御動作によって信号の記憶動作及び読み出し動作が制御されるように構成されている。そして、前記バッファ用ＲＡＭ１１へ記憶された信号は、ディスク１に記録するべく読み出された後も記憶保持された状態にあり、その後コンピューター装置７より出力される新しい信号がその位置に記憶されることによって順次上書き消去されるように構成されている。
【００１５】
１２は前記システム制御回路８によって動作が制御されるスピンドルモーター駆動回路であり、ディスク１を回転駆動させるスピンドルモーターを回転駆動制御する作用を有している。そして、斯かる回転駆動制御動作は、規定の線速度は勿論のこと規定の速度の２倍、４倍、６倍、８倍及び１２倍等の高速の線速度一定の状態にて回転させることが出来るように構成されている。
【００１６】
斯かる構成において、ディスク１への信号の記録動作時、バッファ用ＲＡＭ１１にはコンピューター装置７から出力される信号が記憶され、その記憶されている信号の読み出し動作を制御することによってディスク１への信号の記録動作を制御するように構成されている。そして、ディスク１への信号の記録動作が中断された後、再度記録動作を再開させる場合には、前記バッファ用ＲＡＭ１１に記憶保持されている信号とディスク１に中断前に記録された信号との比較動作を行い、中断前に記録されていた信号に連続して信号が記録されるように、即ちシームレスと呼ばれる方式にて信号が記録されるように構成されている。
【００１７】
また、ディスク１への信号の記録動作が行われている間、システム制御回路８内に設けられているメモリー回路に正常記録動作が行われた位置の最終アドレスが記憶されるように構成されている。記録動作時にバッフア用ＲＡＭに記憶されている記録信号の量が不足するバッファアンダーラン状態になり、記録動作が中断された場合には、前記メモリー回路に記憶されている最終アドレスに基づいて中断した位置より信号をシームレスにて記録動作を行うことが出来るように構成されている。
【００１８】
そして、ディスク１への信号の記録動作が中断された後、記録動作を再開させる動作は、前記バッファ用ＲＡＭ１１に記憶されている信号とディスク１に中断前に記録されている信号との比較動作を行うことによって行うように構成されているが、レーザー駆動回路１０によるレーザー素子の駆動動作は、レーザー素子の立ち上がり特性を考慮して設定されるように構成されている。即ち、システム制御回路８よりレーザー駆動回路１０に対してレーザー素子を駆動する信号を出力させるための命令信号が印加されてもレーザー素子が動作状態になって光ビームのレベルがディスク１に信号を記録することが出来る状態になるまでには短時間ではあるが、無視出来ない時間を要するため、その時間、即ち遅延時間を考慮して設定されるように構成されている。
【００１９】
斯かるレーザー素子に駆動信号を供給するタイミングは、ディスク１の内周側に設けられている試し書き領域にテスト信号を記録することによるレーザー出力の値を設定する動作を行う場合にその記録された信号の特性に応じて設定されるように構成されている。ディスク１には、ウォブルと呼ばれる溝によって同期信号が記録されており、斯かる同期信号に基づいてディスク１の回転速度の制御動作が行われるとともにテスト信号の記録動作が行われる。そして、ディスク１に記録される信号の中にも同期信号が組み込まれており、この同期信号とディスク１に記録されている同期信号との間の時間差を検出することによってレーザー素子の立ち上がりに要する時間を認識することが出来る。このように検出された時間差に応じてシステム制御回路８よりレーザー駆動回路１０に出力される命令信号のタイミングを設定するように構成されている。
【００２０】
以上の如く、本発明に係る光ディスク記録再生装置は構成されているが、次に斯様に構成された回路における再生動作について説明する。コンピューター装置７よりドライブ装置を構成するシステム制御回路８に対して再生動作を行うための命令信号が出力されると、該システム制御回路８による再生動作のための制御動作が開始される。斯かる再生動作が行われる場合には、光学式ピックアップ２に組み込まれているレーザー素子には、信号の読み出し動作を行うためのレーザー出力が得られる駆動電流がレーザー駆動回路１０より供給されるように設定されている。
【００２１】
斯かる再生動作のための制御動作が開始されると、スピンドルモーター駆動回路１２によるスピンドルモーターの回転制御動作が行われるが、斯かるスピンドルモーターの回転制御動作は、ウォブル信号をデコードして得られる同期信号と基準信号生成回路（図示せず）より出力される基準信号とを比較することによりディスク１を線速度一定にて回転駆動するように行われる。斯かる制御動作は、後述する信号の記録動作時にも同様に行われる。
【００２２】
スピンドルモーターの回転制御動作は、以上の如く行われるが、信号の読み出し動作を行う光学式ピックアップ２では、フォーカシング制御動作及びトラッキング制御動作が開始されて該光学式ピックアップ２によるディスク１からの信号の読み出し動作が開始されるが、再生動作に先だってディスク１の最初のセッションを構成するリードイン領域に記録されているＴＯＣデータの読み出し動作が行われる。
【００２３】
ディスク１の最初のセッションの信号記録領域に記録されている信号の読み出し再生動作は、リードイン領域に記録されているＴＯＣデータに基づいて行われることになる。前記光学式ピックアップ２によって読み出された信号は、ＲＦ信号増幅回路３を通して増幅及び波形成形された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００２４】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００２５】
以上に説明したように本実施例における再生動作は行われるが、次にディスク１への信号の記録動作について説明する。
【００２６】
ディスク１に信号を記録する動作は、まずディスク１に設けられている試し書き領域にテスト信号を記録することによってディスク１の特性に最も適したレーザー出力を設定するための動作が行われる。斯かる設定動作は、レーザー出力を変化させながらテスト信号を記録するとともにその記録された信号を再生することにより記録動作に最適なレーザー出力が得られる駆動電流の設定動作が行われるが、記録されたテスト信号の再生動作時ウォブル信号より得られる同期信号とディスク１に記録された信号より得られる同期信号との間の時間差を検出する動作が行われる。そして、斯かる検出動作によって検出された時間差に基づいてレーザー駆動回路１０にシステム制御回路８より制御信号を出力するタイミングが設定される。
【００２７】
斯かるレーザー出力の設定動作及びレーザー駆動回路１０にシステム制御回路８より制御信号を出力するタイミングの設定動作が行われると、ディスク１のバッファと呼ばれる領域に記録されている情報データ、即ち信号記録領域に記録されている信号の位置情報等を読み出す動作が行われる。
【００２８】
このようにして読み出された情報データに基づいてディスク１に設けられている信号記録領域にデータ信号の記録動作が可能であるか、また、記録動作を行う位置は何処か等の認識動作が行われる。
【００２９】
斯かる認識処理動作が終了すると、光学式ピックアップ２をディスク１上の記録動作を開始する位置まで移動させるとともにバッファ用ＲＡＭ１１への記録信号の書き込み動作が行われる。前記バッファ用ＲＡＭ１１への信号の書き込み動作が行われと、該バッファ用ＲＡＭ１１に記憶される信号の記憶量が次第に上昇することになる。その記憶量が所定量を越えると、前記バッファ用ＲＡＭ１１に記憶されている信号を読み出し、その読み出された信号を前記信号記録用回路９に入力せしめる。その結果、前記信号記録用回路９によるレーザー駆動回路１０の制御動作が行われ、ディスク１に信号が記録されることになる。
【００３０】
斯かる動作によってディスク１への信号の記録動作は行われるが、前記バッファ用ＲＡＭ１１への信号の書き込み動作は、該バッファ用ＲＡＭ１１からの信号の読み出し動作に応じて行われるように構成されている。そして、記録動作が正常に行われている状態では、ディスク１への信号の記録動作が行われる毎にその位置を示すアドレス、即ち最終アドレスをメモリー回路に記憶する動作が行われている。
【００３１】
そして、ディスク１への信号の記録動作を行っている状態において、コンピューター装置７より出力されてバッファ用ＲＡＭ１１に書き込まれる信号の量がディスク１に記録されるために読み出される信号の量に比較して少なくなると、該バッファ用ＲＡＭ１１に記憶されている記録信号の量が次第に減少することになる。前記バッファ用ＲＡＭ１１に記憶されている記録信号の量が減少して所定の量になると、即ち、バッファアンダーラン状態になると、ディスク１への記録動作を中断させる制御動作が行われる。斯かる中断動作が行われると、前記バッファ用ＲＡＭ１１からの信号の読み出し動作も中断されることになる。
【００３２】
斯かる状態において、コンピューター装置７より記録信号が出力されると、その記録信号を前記バッファ用ＲＡＭ１１に書き込む制御動作が行われることになり、該バッファ用ＲＡＭ１１に記憶されている記録信号の量が次第に増加することになる。前記バッファ用ＲＡＭ１１に記憶されている記録信号の量が増加し、その量が所定量に達すると、記録動作を再開させるための制御動作が行われる。
【００３３】
斯かる記録再開動作は、まず、光学式ピックアップ２を記録動作を開始させる位置、即ち記録動作を中断した位置より後退させた位置に変位させた後、その位置より再生動作を行うことより行われる。記録を中断させた位置は、正常記録動作が行われる毎にメモリー回路に記憶されている最終アドレスより容易に認知することが出来るとともに光学式ピックアップ２を所望の位置に移動させることが出来る。
【００３４】
斯かる再生動作によって再生される信号は、記録動作を中断させる直前に記録されていた信号であり、斯かる再生信号と前記バッファ用ＲＡＭ１１に記憶保持されている信号との比較動作を行う。斯かる比較動作によって、両者が同一信号であると判定された場合には、前記バッファ用ＲＡＭ１１に記憶されているとともに前述した比較動作の対象となった信号に続けて記憶されている信号の読み出し動作が行われるとともにその信号が信号記録用回路９に入力されてディスク１への信号の記録動作が開始される。前述した動作によって信号のディスク１への記録中断動作及び記録再開動作を行うことが出来、斯かる動作を行うことによってディスク１には、記録動作を中断させたにも関わらず信号を連続して記録する動作、所謂シームレス記録動作を行うことが出来る。
【００３５】
以上に説明したように本実施例における信号の記録動作は行われるが、記録動作の再開時記録の中断前に記録されていた信号に連続するように信号を記録するためには、信号記録開始のタイミングとレーザー素子の立ち上がり特性との関係を考慮してレーザー駆動回路１０から出力される駆動信号をレーザー素子に供給する必要がある。信号記録開始のタイミングとレーザー素子の立ち上がり特性との関係を考慮してレーザー駆動回路１０を記録動作を行うための駆動信号をレーザー素子に供給する動作状態にするタイミングにてシステム制御回路８よりレーザー駆動回路１０に対して命令信号が出力されるが、このタイミングは、試し書き領域へのテスト信号の記録動作を行うときに設定されたタイミングにて行われる。斯かるタイミングは、テスト信号を試し書き領域に記録し、その信号を再生することによって設定するようにしたので、中断前に記録されている信号と再開時に記録される信号との間のギャップを限りなくゼロに近づけることが出来、シームレスと呼ばれる記録動作を良好に行うことが出来る。
【００３６】
【発明の効果】
本発明は、バッファ用ＲＡＭに一旦記憶された信号を読み出すとともに光学式ピックアップに組み込まれているレーザー素子より照射される光ビームによってディスクに該信号を記録するように構成された光ディスク記録再生装置において、信号記録動作時前記バッファ用ＲＡＭから読み出された信号をディスクに記録した後、新しい信号がディスクに記録された信号に代わって書き込まれるまで該バッファ用ＲＡＭに記憶保持し、ディスクへの信号の記録動作が中断したとき、正常に記録された信号の最終アドレスと前記バッファ用ＲＡＭに記憶保持されている信号に基づいて中断前にディスクに記録されている信号に連続して信号を記録するとともに記録再開時のレーザー素子の起動動作開始時期をディスクに設けられている試し書き領域へのテスト信号の記録特性によって設定するようにしたので、正確なタイミングで記録動作を開始させることが出来る。それ故、本発明によれば、記録む中断前に記録されている信号と再開時に記録される信号との間のギャップを限りなくゼロに近づけることが出来、シームレスと呼ばれる記録動作を良好に行うことが出来る。
【００３７】
また、本発明は、試し書き領域に記録されたテスト信号に含まれる同期信号とディスクに記録されている同期信号との間の時間差を検出し、この検出された時間差に基づいて記録再開時のレーザー素子の起動動作開始時期を設定するようにしたので、記録再開時のタイミングを正確に設定することが出来る。
【図面の簡単な説明】
【図１】本発明に係る光ディスク記録再生装置の一実施例を示すブロック回路図である。
【符号の説明】
１        ディスク
２        光学式ピックアップ
４        ピックアップ制御回路
５        デジタル信号処理回路
７        コンピューター装置
８        システム制御回路
９        信号記録用回路
１０        レーザー駆動回路
１１        バッファ用ＲＡＭ
【図１】
0003634714.tif 000002